【事件の表示】
　特願２０１４−１３６０９９「電動工具用充電装置及び電動工具用充電システム」拒絶査定不服審判事件〔平成２８年　１月２８日出願公開、特開２０１６−　１５８１３〕について、次のとおり審決する。
【結　論】
　本件審判の請求は、成り立たない。
【理　由】
第１　手続の経緯・本願発明
　本願は、平成２６年７月１日の出願であって、平成３０年２月２日付けで拒絶理由が通知され、同年４月１６日に手続補正がなされ、同年５月７日付けで拒絶査定がなされ、これに対して、同年８月８日に拒絶査定不服の審判が請求されると同時に手続補正がなされ、当審において、令和１年７月１０日付けで拒絶理由が通知され、同年９月１７日に手続補正がなされたものである。
　そして、その請求項１に係る発明（以下、「本願発明」という。）は、令和１年９月１７日の手続補正により補正された特許請求の範囲の請求項１に記載された次のとおりのものと認める。
「【請求項１】
　電動工具の二次電池を充電する充電部と、
　前記二次電池の電圧を測定する電圧測定部と、
　前記電圧測定部により測定された電圧に基づく前記二次電池の残存容量の検出、および、充電中の前記二次電池の充電が完了するまでに要する時間の検出を実行し、前記二次電池の残存容量および前記時間を含む前記二次電池の状態情報を外部と近距離通信可能な通信部に出力する制御部とを備える
　電動工具用充電装置。」
　
第２　引用文献、引用発明等
１　引用文献１
　当審の拒絶の理由で引用された、本願の出願日前に頒布された、国際公開第２０１３／０９９２２９号（以下「引用文献１」という。）には、図面と共に次の記載がある。（当審訳を付記した。）（下線は、当審で付与した。以下、同様。）
（１）「[0059]　A battery system 10 of a first embodiment will now be explained. 
The battery system 10 is designed to supply electric current (power) to a power tool
the battery system 10
comprises a plurality of battery packs 12, a plurality of battery holders 14, and a charger 16
電池システム１０は、動力工具に電流（電力）を供給するように設計され
電池システム１０は、
複数の電池パック１２、複数の電池ホルダー１４および充電器１６を含
（２）「[0064]　The battery system 10 will now be explained in further detail below. As shown in FIG. 1 and FIG. 2, 
the charger 16 comprises a master charger 18 and one or more slave chargers 20
充電器１６は、主充電器１８と１以上の従充電器２０
を含む
（３）「[0079]　Next, a representative electric circuit configured to perform various functions of the battery system 10 will be explained. As shown in FIG. 14A, 
each battery pack 12 comprises a plurality of battery cells 120, at least one battery controller 122,
and at least one battery memory 126
[0080]　The battery memory 126 stores battery information. This battery information preferably includes at least one, or any arbitrary combination of two or more, of the following: an individual identification code (ID) of the battery pack 12; the model code of the battery pack 12; the rated voltage of the battery pack 12; the rated current of the battery pack 12; the maximum permissible temperature of the battery pack 12; the maximum current experienced by the battery pack 12; the maximum temperature experienced by the battery pack 12; the usage start date of the battery pack 12; the total charges count of the battery pack 12; the total discharges count of the battery pack 12; the total discharge time of the battery pack 12; and the administrator of the battery pack 12. The battery memory 126 is connected to the battery controller 122. The battery controller 122 can read, update (overwrite), and delete the battery information stored in the battery memory 126.  
[0081]　
The master charger 18 and the slave charger(s) 20 each comprise a plurality of charging circuits 142 and at least one charger controller 144
Each of the charging circuits 142 is connected to one corresponding battery interface 30 and controls the charging current (power) supplied from that battery interface 30 to the corresponding battery pack 12
[0082]　The master charger 18 and the slave charger(s) 20 each further comprises at least one charger memory 154 connected to the at least one charger controller 144. The charger memory 154 stores the interface identification information assigned to each of the battery interfaces 30. The interface identification information may be a serial number or a series of integers, for example, 1, 2, 3. The interface identification information is assigned by the charger controller 144 of the master charger 18. The charger controller 144 of the master charger 18 specifies, for the entire charger 16 - including the master charger 18 and the one or more slave chargers 20 - how many of the battery interfaces 30 are present by communicating with the charger controller 144 of each of the slave chargers 20. Furthermore, the interface identification information is assigned to each of the battery interfaces 30. The assigned interface identification information is stored in the charger memories 154 of the master charger 18 and the slave chargers 20.  
[0083]　In the master charger 18 and the slave chargers 20, when the battery pack(s) 12 is (are) attached to the battery interface(s) 30, the charger controller 144 is connected to the (respective) battery controller(s) 122 so as to enable communication therebetween. Subsequently, the charger controller 144 acquires, from each battery controller 122, the battery information stored in the corresponding battery memory 126. In addition, 
the charger controller 144 can acquire, from each battery controller 122, a state indication of the corresponding battery pack(s) 12
The state indication of
the battery packs 12 includes,
the charge level of the battery pack 12
the output voltage of the battery pack 12
The charger controller 144 stores the acquired battery information and state indication of each of the battery packs 12 in the charger memory 154
[0084]　
The master charger 18 further comprises a communication circuit 152
The communication circuit 152 is connected to the charger controller 144
The communication circuit 152 can connect, either wirelessly or via a wired connection, to the external device so as to enable communication therebetween
The charger controller 144 can send and receive information or a signal to and from the external device via the communication circuit 152
[0085]　FIG. 15 shows one example of information that 
the charger 16 may be configured to transmit to an external device 200
the battery information and the state indication of the battery pack 12 are transmitted, together with the interface identification information of the battery interface 30 whereto that battery pack 12 is attached, from the charger 16 to the external device 200
The display 202 of the external device 200 may further display other battery information, state information, etc. of the battery pack 12
For example,
the charge level is further displayed on the display 202
[0086]　In addition, the charger 16 can be configured to receive charger update information and/or operation instruction signals from the external device 200. The charger update information may be utilized to change the operation condition, operating parameters and/or the operating (e.g., charging) program stored in the charger 16. Upon receiving the charger update information, the charger 16 can update the stored operation condition, operating parameter and/or operating program. The operation instruction signal may be, e.g., a charging started signal or a charging stopped signal, for instructing the charger 16 to perform various operations. In this case, the operation instruction signal is preferably received together with the interface identification information of the battery interface 30 that is the target of that operation instruction signal. According to such a configuration, the user can specify (select) a specific battery interface 30 and start or stop the charging of that battery interface 30. 」（[0079]　次に、電気システム１０の様々な機能を実行するように構成された代表的な電気回路について説明する。図１４Ａに示すように、
各電池パック１２は、複数の電池セル１２０、少なくとも１つの電池コントローラ１２２、
そして少なくとも１つの電池メモリ１２６を含む
[0080]　電池メモリ１２６は、電池情報を格納する。この電池情報は、以下の少なくとも１つ、又は２以上の任意の組合せを含むことが好ましい：電池パック１２の個々の識別コード（ＩＤ）、電池パック１２の機種コード、電池パック１２の定格電圧、電池パック１２の定格電流、電池パック１２の最高許容温度、電池パック１２が受けた最大電流、電池パック１２が受けた最高温度、電池パック１２の使用開始日、電池パック１２の総充電回数、電池パック１２の総放電回数、電池パック１２の総放電時間、そして電池パック１２の管理者。電池メモリ１２６は、電池コントローラ１２２に接続される。電池コントローラ１２２は、電池メモリ１２６に格納された情報の、読み取り、更新（上書）、そして削除ができる。
[0081]　
主充電器１８と従充電器２０はそれぞれ、複数の充電回路１４２と少なくとも１つの充電器コントローラ１４４を含む
それぞれの充電回路１４２は、対応する１つの電池インターフェース３０に接続され、そして、電池インターフェース３０から対応する電池パック１２へ供給される充電電流（電力）を制御する
[0082]　主充電器１８と従充電器２０はそれぞれ、少なくとも１つの充電器コントローラ１４４に接続された少なくとも１つの充電器メモリ１５４を含む。充電器メモリ１５４は、電池インターフェース３０それぞれに割り当てられたインターフェース識別情報を格納する。インターフェース識別情報は、シリアル番号、又は、例えば”１”、”２”、”３”などの整数の系列であってよい。インターフェース識別情報は、主充電器１８の充電器コントローラ１４４に割り当てられる。主充電器１８の充電器コントローラ１４４は、それぞれの従充電器２０の充電器コントローラ１４４と通信することによって、全充電器１６−主充電器１８と１以上の従充電器２０を含む−に対して、いくつの電池インターフェース３０が存在するか規定する。さらに、インターフェース識別情報は、電池インターフェース３０のそれぞれに割り当てられる。割り当てられたインターフェース識別情報は、主充電器１８及び従充電器２０の充電器メモリ１５４に格納される。
[0083]　主充電器１８と従充電器２０において、電池パック１２が電池インターフェース３０に取り付けられているとき、充電器コントローラ１４４は、それらの間の通信を可能にするために、（それぞれの）電池コントローラ１２２に接続されている。続いて、充電器コントローラ１４４は、それぞれの電池コントローラ１２２から、対応する電池メモリ１２６に格納された電池情報を取得する。加えて、
充電器コントローラ１４４は、それぞれの電池コントローラ１２２から、対応する電池パック１２の状態指標を取得でき
電池パック１２の状態指標は、
電池パック１２の充電レベル
電池パック１２の出力電圧
充電器コントローラ１４４は、それぞれの電池パック１２の獲得した電池情報と状態指標を、充電器メモリ１５４内に格納する
[0084]　
主充電器１８は、さらに、通信回路１５２を有する
通信回路１５２は、充電器コントローラ１４４に接続される
通信回路１５２は、それらの間の通信を可能にするために、無線又は有線を介した接続いずれかにより、外部機器に接続することができ
充電器コントローラ１４４は、通信回路１５２を介して、外部機器と情報や信号を送受信することができる
[0085]　図１５は、
充電器１６が外部機器２００
へ送信するように構成された
では、電池パック１２が接続された電池インターフェース３０のインターフェース識別情報と共に、電池パック１２の電池情報と状態指標が、充電器１６から外部機器２００へ送信される
外部機器２００の表示器２０２は、
電池パック１２のその他の電池情報、状態情報等を表示してもよい
例えば、充電レベルが更に表示器２０２に表示される
[0086]　加えて、充電器１６は、充電器更新情報および／または操作指示信号を外部機器２００から受信するように構成することができる。充電器更新情報は、動作条件、動作パラメータ、および／または充電器１６に格納された動作（例えば、充電）プログラムを変更するために用いられる。充電器更新情報を受信すると、充電器１６は、格納された動作条件、動作パラメータ、および／または動作ブログラムを更新することができる。操作指示信号は、充電器１６を様々な動作で実行するように指示する、例えば、充電開始信号や充電停止信号である。この場合、操作指示信号は、その操作指示信号の対象である電池インターフェース３０のインターフェース識別情報と共に受信するのが望ましい。このような構成によれば、ユーザは、特定の電池インターフェース３０を指定し（選択し）、その電池インターフェース３０の充電を開始または停止できる。）
　上記下線部及び関連箇所の記載によれば、引用文献１には、充電器として、以下の発明（以下、「引用発明」という。）が記載されている。
［引用発明］
「動力工具に電流（電力）を供給するように設計され、複数の電池パック１２、複数の電池ホルダー１４および充電器１６を含む電池システム１０の充電器１６において、
　充電器１６は、主充電器１８と１以上の従充電器２０を含み、
　各電池パック１２は、複数の電池セル１２０、少なくとも１つの電池コントローラ１２２、そして少なくとも１つの電池メモリ１２６を含み、
　主充電器１８と従充電器２０はそれぞれ、複数の充電回路１４２と少なくとも１つの充電器コントローラ１４４を含み、
　それぞれの充電回路１４２は、対応する１つの電池インターフェース３０に接続され、そして、電池インターフェース３０から対応する電池パック１２へ供給される充電電流（電力）を制御し、
　充電器コントローラ１４４は、それぞれの電池コントローラ１２２から、対応する電池パック１２の状態指標を取得でき、電池パック１２の状態指標は、電池パック１２の充電レベル、電池パック１２の出力電圧を含み、
　充電器コントローラ１４４は、それぞれの電池パック１２の獲得した電池情報と状態指標を、充電器メモリ１５４内に格納し、
　主充電器１８は、さらに、通信回路１５２を有し、
　通信回路１５２は、充電器コントローラ１４４に接続され、
　通信回路１５２は、それらの間の通信を可能にするために、無線又は有線を介した接続いずれかにより、外部機器に接続することができ、
　充電器コントローラ１４４は、通信回路１５２を介して、外部機器と情報や信号を送受信することができ、
　充電器１６が外部機器２００へ送信するように構成された場合では、電池パック１２が接続された電池インターフェース３０のインターフェース識別情報と共に、電池パック１２の電池情報と状態指標が、充電器１６から外部機器２００へ送信され、
　外部機器２００の表示器２０２は、電池パック１２のその他の電池情報、状態情報等を表示し、充電レベルが更に表示器２０２に表示される
　充電器１６。」
２　引用文献２
　当審の拒絶の理由で引用された、本願の出願日前に頒布された特開平９−７０１４６号公報（以下「引用文献２」という。）には、図面と共に次の記載がある。
（１）「【００２９】次に、このバッテリパックにおいては、２次電池Ｅ１乃至Ｅ４の残存容量が常時表示されるようになされている。即ち、バッテリパックが使用されていない状態にある場合、ＣＰＵ４は、
電圧検出部２から供給される電池電圧を、容量記憶部６に記憶されている残存容量対応表を参照して、残存容量に変換する
（２）「【００４２】次に、図４は、本発明を適用した負荷／充電器の一実施例の構成を示している。この
負荷／充電器は、
電圧検出部２、
と同様に構成される
電圧検出部１２
が設けられて構成され
【００４３】従って、この負荷／充電器に、例えば２次電池Ｅ１乃至Ｅ４を内蔵するバッテリパックを接続した場合、図１における場合と同様にして、
バッテリパックの、正確な残存容量を求めることができる
【００４４】なお、本実施例においては、残存容量を常時表示させるために、電流検出部１、電圧検出部２、および温度センサ３を、常時動作させるようにしたが、残存容量は、必要なとき（例えば、所定のボタンが操作されたときなど）だけ表示させるようにし、電流検出部１、電圧検出部２、および温度センサ３についても、そのときだけ動作させるようにすることも可能である（但し、電圧検出部２については、残存容量を表示するためにだけでなく、過充電および過放電を検出するために動作させておく必要がある）。」
　上記下線部及び関連箇所の記載によれば、引用文献２には、以下の技術が記載されている。
「充電器は、電圧検出部が設けられ、電圧検出部から供給される電池電圧を、容量記憶部に記憶されている残存容量対応表を参照して、残存容量に変換し、バッテリパックの、正確な残存容量を求める技術」
３　引用文献３
　当審の拒絶の理由で引用された、本願の出願日前に頒布された特開平１０−１７４３０７号公報（以下「引用文献３」という。）には、図面と共に次の記載がある。
（１）「【００１３】図１は、本発明の充電制御機能付き充電回路の第１の実施例を示すブロック図である。
【００１４】
充電制御機能付き充電回路
１０は、
バッテリー６のバッテリ残存容量を測定するバッテリー電圧測定部２
とよりなる
　上記下線部及び関連箇所の記載によれば、引用文献３には、以下の技術が記載されている。
「充電制御機能付き充電回路は、バッテリーのバッテリ残存容量を測定するバッテリー電圧測定部よりなる技術」
４　引用文献４
　本願の出願日前に頒布された特開２００４−４８９００号公報（以下「引用文献４」という。）には、図面と共に次の記載がある。
（１）「【００２１】
そして、制御装置２は、制御プログラム（本発明でいうコンピュータプログラム）を実行することにより、以下の処理を行う。
【００２２】
次に、上記した構成の作用について、図２および図３に示すフローチャートを参照して説明する。
まず、制御装置２は、バッテリ１７が充電設備２０に接続されたことにより、バッテリ１７が充電を開始した旨を検出すると（ステップＳ１にて「ＹＥＳ」）、走行開始スイッチ３がオフであるか否かを判定する（ステップＳ２）。
・・・中略・・・
【００２７】
さて、
制御装置２は、バッテリ１７が充電を開始し、
【００２８】
ここで、制御装置２は、
外部から充電情報要求信号が
受信された旨を検出すると
【００２９】
そして、制御装置２は、充電情報要求信号を発信した発信元が予め登録されている特定の発信元である旨を検出すると（ステップＳ１１にて「ＹＥＳ」）、
その時点での満充電状態に対する充電状態の割合（例えば「充電度○○％」）や、その時点から充電完了までに要する時間（例えば「充電完了まで残り○○時間」）などを表す充電情報を計算して取得し
取得された充電情報を
発信元に送信させる
　上記下線部及び関連箇所の記載によれば、引用文献４には、以下の技術が記載されている。
「制御装置２は、バッテリ１７が充電を開始し、外部から充電情報要求信号が受信された旨を検出すると、
　その時点での満充電状態に対する充電状態の割合（例えば「充電度○○％」）や、その時点から充電完了までに要する時間（例えば「充電完了まで残り○○時間」）などを表す充電情報を計算して取得し、取得された充電情報を発信元に送信させる技術」
５　引用文献５
　本願の出願日前に頒布された特開２００３−３３３７６５号公報（以下「引用文献５」という。）には、図面と共に次の記載がある。
（１）「【００３０】次に、上記第１実施形態における二次電池１の充電方法についての制御フローチャートを図４に示す。まず上記ステップＳ１において、ユーザが充電する二次電池１の種類を操作部７から入力すると、プログラム・演算制御部４中に予め記憶設定されたテーブルの中から、上記二次電池１の種類に相当する所定の充電印加電圧Ｅｓと、満充電平衡電圧Ｅeqとがそれぞれ選択される。ここで、上記充電印加電圧Ｅｓ、及び満充電平衡電圧Ｅeqは、ニッケルカドミウム、ニッケル水素、リチウムイオン二次電池等の種類と型番によって予め設定される値であり、例えば、上記ニッケルカドミウム二次電池の場合、上記満充電平衡電圧Ｅeqは約１．４Ｖであり、また上記充電印加電圧Ｅｓはそれよりも高い電圧として約１．６５Ｖが選択される。次に、ステップＳ２において、
ユーザが充電開始操作を行うと、
充電電圧を満充電平衡電圧Ｅeqに切り換え
上記満充電平衡電圧ＥeqをＴ
3
時間印加している間に、上記満充電平衡電圧Ｅeqにおける電流値ｉを電流検出部３で検出
検出された電流値ｉから満充電までに要する時間、すなわち上記電流値ｉが充電完了基準値Ｊ（満充電時に検出されると推測される電流値）に達するまでの所要充電時間ｔを求め、この所要充電時間ｔを二次電池１の表示部７に表示する
　上記下線部及び関連箇所の記載によれば、引用文献５には、以下の技術が記載されている。
「ユーザが充電開始操作を行うと、充電電圧を満充電平衡電圧Ｅeqに切り換え、上記満充電平衡電圧ＥeqをＴ3時間印加している間に、上記満充電平衡電圧Ｅeqにおける電流値ｉを電流検出部３で検出し、検出された電流値ｉから満充電までに要する時間、すなわち上記電流値ｉが充電完了基準値Ｊ（満充電時に検出されると推測される電流値）に達するまでの所要充電時間ｔを求め、この所要充電時間ｔを二次電池１の表示部７に表示する技術」
６　引用文献６
　本願の出願日前に頒布された特開２０１２−１５１９３４号公報（以下「引用文献６」という。）には、図面と共に次の記載がある。
（１）「【００４０】
　
第１の表示領域Ｘ１には、充電状況に関する情報が表示され
この充電状況に関する情報は、
「充電中です。お待ち下さい。残り時間：約１７分」のような文字情報
　上記下線部及び関連箇所の記載によれば、引用文献６には、以下の技術が記載されている。
「第１の表示領域Ｘ１には、充電状況に関する情報が表示され、この充電状況に関する情報は、『充電中です。お待ち下さい。残り時間：約１７分』のような文字情報とする技術」
第３　対比・判断
１　対比
　本願発明と引用発明とを対比する。
（１）引用発明の「充電回路１４２」は、「動力工具に電流（電力）を供給するように設計」された「電池システム１０」の「充電器１６」に含まれ、「対応する１つの電池インターフェース３０に接続され、そして、電池インターフェース３０から対応する電池パック１２へ供給される充電電流（電力）を制御」するものであるから、本願発明の「電動工具の二次電池に対して充電を行う充電部」に相当する。
（２）引用発明の「電池パック１２の状態指標」は、「電池パック１２の充電レベル」を含むものであるから、本願発明の「二次電池の状態情報」と、「二次電池の残存容量」を含む「二次電池の状態情報」である点で共通する。
　また、引用発明の「通信回路１５２」は、「無線又は有線を介した接続いずれかにより、外部機器に接続することができ」るものであり、近距離通信が可能であることは明らかであるから、本願発明の「外部と近距離通信可能な通信部」に相当する。
　そして、引用発明の「充電器コントローラ１４４」は、「通信回路１５２を介して、外部機器と情報や信号を送受信することができ」、「電池パック１２が接続された電池インターフェース３０のインターフェース識別情報と共に、電池パック１２の電池情報と状態指標が、充電器１６から外部機器２００へ送信され」るものであるから、「充電器コントローラ１４４」が「電池パック１２の状態指標」を「通信回路１５２」に出力していることは明らかである。
　よって、引用発明の「充電器コントローラ１４４」は、本願発明の「二次電池の状態情報を外部と近距離通信可能な通信部に出力する制御部」である点で共通する。
　ただし、本願発明は、「二次電池の電圧を測定する電圧測定部」を備え、「制御部」は「前記電圧測定部により測定された電圧に基づく前記二次電池の残存容量の検出、および、充電中の前記二次電池の充電が完了するまでに要する時間の検出を実行し、前記二次電池の残存容量および前記時間を含む前記二次電池の状態情報」を「通信部に出力する」ものであるのに対し、引用発明の「充電器コントローラ１４４」は、「電池コントローラ１２２から、対応する電池パック１２の状態指標を取得」するものである点では相違する。 
（３）引用発明の「充電器１６」は、「動力工具に電流（電力）を供給するように設計」された「電池システム１０」に含まれるものであるから、本願発明１の「電動工具用充電装置」に相当する。
　したがって、両者は、以下の一致点および相違点を有する。
〈一致点〉
「電動工具の二次電池に対して充電を行う充電部を有し、
　二次電池の状態情報を外部と近距離通信可能な通信部に出力する制御部を備える
　電動工具用充電装置。」
〈相違点１〉
　本願発明は、「二次電池の電圧を測定する電圧測定部」を備えるのに対し、引用発明は、「電池パック１２の出力電圧」を含む「電池パック１２の状態指標」を「電池コントローラ１２２」から取得するものである点。
〈相違点２〉
　「制御部」について、本願発明は、「前記電圧測定部により測定された電圧に基づく前記二次電池の残存容量の検出」を実行するものであるのに対し、引用発明は、「電池コントローラ１２２」から、「電池パック１２の充電レベル、電池パック１２の出力電圧」を取得するものである点。
〈相違点３〉
　本願発明の「制御部」は、「充電中の前記二次電池の充電が完了するまでに要する時間の検出」を実行し、「前記時間」を含む「前記二次電池の状態情報」を「通信部に出力する」ものであるのに対し、引用発明の「充電器コントローラ１４４」は、「電池パック１２の状態指標」を取得し「通信回路１５２」に出力するものではあるものの、そのような時間を含む二次電池の状態情報を通信部へ出力するものとはされていない点。
２　判断
（１）〈相違点１〉および〈相違点２〉について
　引用文献２には、「充電器は、電圧検出部が設けられ、電圧検出部から供給される電池電圧を、容量記憶部に記憶されている残存容量対応表を参照して、残存容量に変換し、バッテリパックの、正確な残存容量を求める技術」が、引用文献３には、「充電制御機能付き充電回路は、バッテリーのバッテリ残存容量を測定するバッテリー電圧測定部よりなる技術」が各々記載されるように、バッテリの残存容量を測定するための電圧測定部を充電器側に設けることは、本願出願日前において周知の技術である。
　したがって、引用発明に上記周知の技術を適用し、「充電器１６」が「電池コントローラ１２２」より「電池パック１２の出力電圧」を含む「電池パック１２の状態指標」を取得することに代え、「充電器１６」に電圧測定部を設け、当該電圧測定部の出力よりバッテリの残存容量を得る構成とすることで、上記相違点１及び２に係る本願発明の構成とすることは、当業者が容易になし得たことである。
（２）〈相違点３〉について
　引用文献４に、「制御装置２は、バッテリ１７が充電を開始し、外部から充電情報要求信号が受信された旨を検出すると、その時点での満充電状態に対する充電状態の割合（例えば「充電度○○％」）や、その時点から充電完了までに要する時間（例えば「充電完了まで残り○○時間」）などを表す充電情報を計算して取得し、取得された充電情報を発信元に送信させる技術」が、引用文献５に、「ユーザが充電開始操作を行うと、充電電圧を満充電平衡電圧Ｅeqに切り換え、上記満充電平衡電圧ＥeqをＴ3時間印加している間に、上記満充電平衡電圧Ｅeqにおける電流値ｉを電流検出部３で検出し、検出された電流値ｉから満充電までに要する時間、すなわち上記電流値ｉが充電完了基準値Ｊ（満充電時に検出されると推測される電流値）に達するまでの所要充電時間ｔを求め、この所要充電時間ｔを二次電池１の表示部７に表示する技術」が、引用文献６に、「第１の表示領域Ｘ１には、充電状況に関する情報が表示され、この充電状況に関する情報は、『充電中です。お待ち下さい。残り時間：約１７分』のような文字情報とする技術」が記載されるように、充電中の二次電池充電が完了するまでに要する時間を検出し、ユーザに知らせることも、本願出願日前において周知の技術であり、引用発明に上記周知の技術を適用し、「充電器１６」が外部機器へ送信する「電池パック１２の状態指標」として、「充電中の二次電池充電が完了するまでに要する時間」を含ませ、上記相違点３に係る本願発明の構成とすることは、当業者が容易になし得たことである。
　そして、本願発明のように構成することによる作用効果も、引用発明及び周知の技術に基づいて、当業者が予測し得る範囲内のものである。
第４　むすび
　以上のとおり、本願発明は、引用発明に基づいて、当業者が容易に発明をすることができたものであるから、特許法第２９条第２項の規定により特許を受けることができない。
　したがって、本願は、その他の請求項について検討するまでもなく、拒絶されるべきものである。
　よって、結論のとおり審決する。